(57)【要約】　　　（修正有）【課題】オリフィス付きカップの孔の中での保持性と密閉性を改善する際に小さな変形を実施するだけで、外れることなく定位置に確実に保持され、その孔の中で密閉されることによって漏れを防ぐことができ、よって、コストをかけずにより高い効率を実現できる手動式スプレー用オリフィス付きカップを提供する。【解決手段】オリフィス付きカップ２１は、オリフィス２３を通る流れの上流方向の外側に向かって逆テーパ状となる載頭円錐状に成形したスカート２９を有する。オリフィス付きカップ２１の円形基部の外径が実質的に排出オリフィス２３の壁の直径と同じである。カップ２１のスカート壁は、半径方向の外側に向かって外径に対して逆テーパ状となっており、孔の中に圧嵌すると、スカート壁全体が孔の壁に対して密着、密閉し、排出される液体の圧力によって外れないように確実に定位置にオリフィス付きカップ２１を保持する。【選択図】図３
2004122101.tif 000002
【特許請求の範囲】
【請求項１】
スプレーの起動に呼応して液体製品を排出する排出オリフィスで終端する排出路を有する本体部材と、排出路に取り付けたオリフィス付きカップとを備え、オリフィス付きカップは、液体製品の通路に対して上流方向に延長する一体のスカートを有する基礎壁部からなり、前記排出路は、所定の壁直径の円筒形孔を含み、オリフィス付きカップの基礎壁部は、排出オリフィスを有し、基礎壁部は、前記所定の壁直径とほぼ等しい外径を有し、スカートの外壁は、截頭円錐形状で外壁の最大直径が前記所定の直径を超えるように上流方向に向かって外側に逆テーパ形状であるので、スカートの外壁は、円筒形孔の壁と密閉係合してオリフィス付きカップを孔の中に確実に保持すると共に、スカートの外壁と円筒形孔の壁との間の液体製品の通過を防ぐことを特徴とする手動式スプレー。
【請求項２】
オリフィス付きカップは、基礎壁部の側面から半径方向の外側に向けて突出し、円筒形孔の壁と係合し、さらに確実にオリフィス付きカップを孔の中に保持する環状保持ビードを有することを特徴とする請求項１記載のスプレー。
【請求項３】
本体部材がオリフィス付きカップの中の基礎壁部に向かって延長し、基礎壁部の対向する面とともに回転機構手段を形成する円筒形プローブを有することを特徴とする請求項１記載のスプレー。
【請求項４】
保持ビードの外径が外壁の最大直径とほぼ等しいことを特徴とする請求項２記載のスプレー。
【請求項５】
液体通路がプローブと混合室手段と連通する孔の壁との間に形成されることを特徴とする請求項３記載のスプレー。
【請求項６】
回転機構手段が、回転室に連なる接線溝を備え、プローブの端面が溝に重なって接線方向の通路を形成することを特徴とする請求項３記載のスプレー。
【発明の詳細な説明】
【０００１】
【発明の属する技術分野】
本発明は、一般的に手動式スプレーに関し、特に、スプレーを起動すると製品がオリフィスから排出されるオリフィス付きカップを有するスプレーに関するものである。
【０００２】
【従来の技術】
公知のオリフィス付きカップは、手動式携帯型スプレーの排出路内に取り付けられており、通常は、その円筒形側壁が円形孔の壁の中に嵌合して、密着摩擦係合することによって定位置に保持される。回転室の形式の回転機構とそれに続く接線をオリフィス付きカップの円形基礎壁の内表面上に形成することができる。例えばプランジャ・ヘッドを押下することによって起動するポンプ・スプレーもしくは、トリガを付勢することによって起動するトリガ起動式スプレーのようなスプレーを手動で起動すると、液体製品が収縮した排出路と回転機構を強制的に通過せしめられるに従ってスプレーの形態の排出オリフィスを通って出る前に大きい圧力が生じる。もちろん、回転機構を設けていなくても、あるいは、移動不可能な回転機構を用いたものであっても、液体は、水流の形態で排出オリフィスから排出される。
【０００３】
公知のオリフィス付きカップは、円筒形のスカート壁と、カップの側面の前端近傍から半径方向外側に向かって突出する環状保持ビードを有する。オリフィス付きカップは、一般的に、排出路の端部の円筒形孔の、カップの円筒形側壁と円筒形孔の壁の間に密接摩擦係合により圧嵌する。環状保持ビードは、ポンプ・スプレー本体の対向する円筒部の中に突出するように設計されており、オリフィス付きカップを孔の中の定位置に保持すると共に、オリフィス付きカップと排出路の孔の間の密閉手段としての作用を助ける機能を有する。
【０００４】
オリフィス付きカップは、スプレー起動中にその下側表面に継続的に高圧がかかるとその孔から外れることがある。その場合、オリフィス付きカップが下流側に十分にずれ、その環状保持／密閉ビードがその合わせ溝から外れ、さらに、孔の端部から外れる。したがって、オリフィス付きカップと孔の壁との間の密閉状態が解除されて通路が開き、微量ではあるが液体がそこから漏れる。これにより、目に見えない許容不可能な状態となる。
【０００５】
カップ内に延長するスプレー本体上の対向するプローブと協働するオリフィス付きカップ基部の内表面上の、回転機構が形成されている箇所では、かかった高圧に呼応して起きるオリフィス付きカップの下流方向へのわずかなずれの動きにより、製品の漏れを引き起こすと共に、液体製品を渦運動させ、細かい霧状のスプレーに粉砕する回転機構の機能を阻害する。
【０００６】
【発明が解決しようとする課題】
したがって、孔の中におけるオリフィス付きカップの保持性および密閉性を改善する必要がある。
【０００７】
よって、本発明の目的は、オリフィス付きカップの孔の中での保持性と密閉性を改善する際に小さな変形を実施するだけで、外れることなく定位置に確実に保持され、その孔の中で密閉されることによって漏れを防ぐことができ、よって、コストをかけずにより高い効率を実現できる手動式スプレー用オリフィス付きカップを提供することにある。
【０００８】
【課題を解決するための手段】
この目的を達成するため、本発明によるオリフィス付きカップは、オリフィスを通る流れの上流方向の外側に向かって逆テーパ状となる截頭円錐形状に成形したスカートを有する。オリフィス付きカップの円形基部の外径が実質的に排出オリフィスの壁の直径と同じである。カップのスカート壁は、半径方向の外側に向かって外径に対して逆テーパ状となっており、孔の中に圧嵌すると、スカート壁全体が孔の壁に対して密着、密閉し、排出される液体の圧力によって外れないように確実に定位置にオリフィス付きカップを保持すると共に、そのオリフィス付きカップをそのカップの周囲から漏れが起きないようにその孔の中で密閉する。
【０００９】
本発明の他の目的、利点、および新規の特性については、下記に示す添付図面に基づいた発明の詳細な説明からさらに明らかとなろう。
【００１０】
【発明の実施の形態】
図面を参照しながら説明する。すべて図面において、類似した、もしくは同等の部品は同等の図面参照番号によって示すものとする。図１において、全体を１０で示される手動式スプレーは、本明細書において引用する、本発明と共通して所有される米国特許第４，０５１，９８３号に開示されているタイプと同様のポンプ・スプレーの形態をとっている。もちろん、トリガ式ポンプ・スプレー、エアゾール式スプレー、スクイズ・ボトル式スプレーなどの他のタイプの手動式携帯型スプレーを本発明に組み込むことも可能である。
【００１１】
スプレー１０は、スプレーを噴霧する製品の容器（図示せず）に取り付けるための閉合部（クロジャー）１２を有する本体部材１１を有する。本体部材は、さらに、中空のプランジャ・ステム１４に取り付けたプランジャ・ヘッド１３を有する。そのステムはプランジャ・ヘッドの上部１５に外部から指で圧力を加えることによって従来公知の方法でポンプ・シリンダ（図示せず）内を往復運動可能なポンプ・ピストン（図示せず）を有する。オーバーカップ１６は、もちろん使用者がプランジャを往復運動させる前に最初に外される。
【００１２】
ピストン・ステムは、ヘッド部に設けた、横方向に延長する中空の円筒形孔１８と連通する排出路１７を形成する。プランジャ・ヘッドは、横方向にかつ孔１８と同軸に延長する円筒形プローブ１９を有する。
【００１３】
本発明によるオリフィス付きカップ２１は、さまざまな面において米国特許第４，０５１，９８３号に開示したもの類似しており、液体製品が従来公知の微細な霧状で噴霧される排出オリフィス２３を有する基礎壁２２を有するはめ輪形状（ｔｈｉｍｂｌｅ−ｓｈａｐｅｄ）である。基礎壁の外径は、緩んだ状態の円筒形孔１８の壁の直径とほぼ同等もしくはわずかに大きい程度である。環状保持ビード２４がオリフィス付きカップと一体に形成されており、基礎壁の外径に比較すると大径ｄで基部の側壁の半径方向の外側に向かって延長する。同様に、基礎壁の内面２６には、排出オリフィスと同軸の回転室２７と、回転室内の液体に渦巻きを引き起こし、液体を孔から微細な霧の形態で排出するための、回転室内に連なる複数（通常は３つ）の接線溝２８を有する公知の回転機構２６が形成されている。
【００１４】
オリフィス付きカップ２１は、さらに、一体のスカート２９と、オリフィス付きカップを円筒形孔１８に取り付けたときにスカートの中空部の中に延長するプローブ１９とを備えている。プローブの直径は、排出路１７の延長を形成する環状隙間３１を形成するスカートの内径よりわずかに小さい。あるいは、プローブ１９および／または孔１８の対向する壁上に軸方向のリブまたは溝を形成してもよい。プローブは、接線溝２８に対向する平坦な端部３２を有し、それにより、接線方向の流通路を形成する。このように、そして、従来の公知のように、ポンプに液体を詰めた後、プランジャ・ヘッドにかかった下方向の各ストロークがポンプ室（図示せず）の中の液体を加圧し、圧力下の液体を開放した排出弁（図示せず）を通して、排出路１７、隙間３１、および液体を回転室２７の中の渦巻きを受けさせる、液体に渦運動を起こさせ、排出オリフィス２３を通して細かい霧状の噴霧の形状で排出させる接線溝２８に沿って排出させる。
【００１５】
特に、本発明によると、スカート２９は、図３に詳細に示すように截頭円錐形状に成形されている。よって、スカート２９の外壁は、基部２２の直径ｄから流れの上流方向に向かって半径方向の外側に逆テーパ状となり、スカートの自由端に隣接した最大直径Ｄとなる。この最大直径Ｄは、保持ビード２４の直径ｄｄとほぼ等しく、型から成形部品を容易に取り外せるように構成されている。また、スカートの自由端は、３３で示すように面取りし、オリフィス付きカップを円筒形孔１８内に挿入しやすく構成してあることがわかる。
【００１６】
本発明を限定することなく、例示できる寸法として、例えば、直径ｄは、０．１７９インチ（４．５４６ｍｍ）、直径ｄｄおよびＤは、０．１８５インチ（４．６９９ｍｍ）、さらに、スカートの逆テーパの長さは、０．０９６インチ（２．４３８４ｍｍ）である。
【００１７】
【発明の効果】
オリフィス付きカップは、本発明に係る技術で公知の通常の方法でプランジャ・ヘッドの円筒形孔１８に挿入される。プランジャ・ヘッドとして選択するプラスチック材は、オリフィス付きカップにも、プランジャ・ヘッドにもひび割れを引き起こすことなく、その逆テーパのオリフィス付きカップを円筒形孔１８に圧嵌できる性質のものとする。オリフィス付きカップと円筒形孔の壁との間の密接摩擦嵌合は、オリフィス付きカップを、カップの内面２５が通常実際に受ける液体圧を超えた液体圧を受けるポンプ・ストロークを繰り返した後でも外れることなく確実に定位置に保持できる。スカートの逆テーパは、円筒形孔の壁との密接摩擦係合を大きく改善するだけでなく、カップのスカートと孔１８の壁との間の内面における製品の漏れを防ぐ働きをする。
【００１８】
保持ビード２４は、任意であり、オリフィス付きカップを定位置に保持するための付加的手段として設けてもよい。
【００１９】
本発明は、指先起動式ポンプ・スプレーについて説明したが、これに限定されることなく、エアゾール式スプレー、トリガ起動式ポンプ・スプレー、スクイズ・ボトル式スプレーなど、この発明の範囲内において同様に適用可能である。オリフィス付きカップのスカートの逆テーパは、これらのさまざまな形式のスプレーにおいて同様に機能し、オリフィス付きカップを、噴霧する流体によって非常に激しい繰り返しの高圧を受けても外れることなく、その円筒形孔の中の定位置に確実に保持する。
【００２０】
上記の説明より、明らかに本発明の種々の変形および変更が可能である。よって、特に説明がない限り、本発明は添付の特許請求の範囲内で、実施されるものであることは理解できよう。
【図面の簡単な説明】
【図１】スプレー・ヘッドに本発明の改良されたオリフィス付きカップを組み込んだ手動式スプレーの一部断面側面図である。
【図２】図３の２−２線上の断面図である。
【図３】本発明のオリフィス付きカップの図２における３−３線上の拡大断面図である。
【符号の説明】
１０　　スプレー
１１　　本体部材
１７　　排出路
１８　　円筒形孔
１９　　プローブ
２１　　オリフィス付きカップ
２４　　環状保持ビード
２８　　接線溝
２９　　スカート
【図１】
2004122101.tif 000003
【図２】
2004122101.tif 000004
【図３】
2004122101.tif 000005
【外国語明細書】
2004122101.tif 000006
2004122101.tif 000007
2004122101.tif 000008
2004122101.tif 000009
2004122101.tif 000010
2004122101.tif 000011
2004122101.tif 000012
2004122101.tif 000013
2004122101.tif 000014
2004122101.tif 000015
2004122101.tif 000016
2004122101.tif 000017
2004122101.tif 000018
2004122101.tif 000019
2004122101.tif 000020
2004122101.tif 000021
2004122101.tif 000022
2004122101.tif 000023
2004122101.tif 000024
2004122101.tif 000025
2004122101.tif 000026